(57)【要約】      （修正有）【課題】曲線型出窓のカウンターなどの変形している場所に使用することができる変形可能な連結組立式プランターを提供する。【解決手段】変形可能な連結組立式プランター１００は、前方部材１０の後方底面１２の開口Ｋと中央部材２０の前方底面２１の開口Ｋが重ね合わされた状態で、これらの重ね合わされた開口Ｋに固定キャップが嵌め込まれ、前方部材１０と中央部材２０が、回転自在になるように連結され、また、後方部材３０の前方底面３２の開口Ｋと中央部材２０の後方底面２３の開口Ｋが重ね合わされ、これらの重ね合わされた開口Ｋに固定キャップが嵌め込まれ回転自在になるように連結される。また、自在側板１３ａ，２４ａ，２５ａ，３４ａ及び自在側板受穴１４ｂ，２４ｂ，２５ｂ，３３ｂが設けられており、底面の回転自在に合わせるように各自在側板が各自在側板受穴に嵌め込まれ嵌合する。【選択図】図１
0003218591.tif 000002
【実用新案登録請求の範囲】
【請求項１】
前方底面、後方底面、右側面、左側面及び正面を有する前方部材と、前方底面、中央底面、後方底面、右側面及び左側面を有する中央部材と、後方底面、前方底面、右側面、左側面及び裏面を有する後方部材と、固定キャップを有し、前記前方部材、前記中央部材、前記後方部材及び前記固定キャップを用いて、変形可能なように連結され組み立てられた変形可能な連結組立式プランターであって、
前記前方部材の後方底面に設けられた開口と前記中央部材の前方底面に設けられた開口が重ね合わされ、前記重ね合わされた開口に前記固定キャップが嵌め込まれ、前記前方部材と前記中央部材が、回転自在になるように連結され、
前記後方部材の前方底面に設けられた開口と前記中央部材の後方底面に設けられた開口が重ね合わされ、前記重ね合わされた開口に前記固定キャップが嵌め込まれ、前記後方部材と前記中央部材が、回転自在になるように連結され、
前記変形可能な連結底面、連結右側面及び連決左側面が組み立てられて形成されることにより、
前記正面、前記裏面、前記連結底面、前記連結右側面及び前記連結左側面を有し変形可能であることを特徴とする変形可能な連結組立式プランター。
【請求項２】
前記前方部材の右側面の後方、前記中央部材の左側面の前方、前記中央部材の右側面の後方及び前記後方部材の左側面の前方のそれぞれは、柔軟性を有する素材で形成された自在側板が一体的に設けられており、
前記前方部材の左側面の後方、前記中央部材の右側面の前方、前記中央部材の左側面の後方及び前記後方部材の右側面の前方のそれぞれは、自在側板受穴が設けられており、
前記自在側板は、前記回転自在に合わせるように前記自在側板受穴に嵌め込まれ嵌合するように形成されていることを特徴とする請求項１に記載の変形可能な連結組立式プランター。
【請求項３】
前記前方部材の後方底面の開口と前記中央部材の前方底面の開口の重ね合わせにおいて、前記前方部材の後方底面が、前記中央部材の前方底面より下になるように形成され、
前記後方部材の前方底面の開口と前記中央部材の後方底面の開口の重ね合わせにおいて、前記後方部材の前方底面が、前記中央部材の後方底面より上になるように形成されていることを特徴とする請求項１または請求項２に記載の変形可能な連結組立式プランター。
【請求項４】
前記中央部材は、複数であり、
前記複数の中央部材のそれぞれは、前記中央部材の後方底面に設けられた開口と前記中央部材の前方底面に設けられた開口が重ね合わされ、前記重ね合わされた開口に前記固定キャップが嵌め込まれ、前記複数の中央部材が、回転自在になるように連結されることを特徴とする請求項１から請求項３のいずれかに記載の変形可能な連結組立式プランター。
【請求項５】
前記前方部材の後方底面、前記中央部材の前方底面、前記中央部材の後方底面、前記後方部材の前方底面のそれぞれは、略半円状に形成されており、
前記固定キャップには、水抜き用の孔が設けられており、
前記前方部材、前記中央部材及び前記後方部材には、手掛部、架台及び側面補強板が設けられていることを特徴とする請求項１から請求項４のいずれかに記載の変形可能な連結組立式プランター。
【考案の詳細な説明】
【技術分野】
【０００１】
本考案は、変形可能な連結組立式プランターに関する。
【背景技術】
【０００２】
プランターは、装飾用の草花を栽培するための容器であり、プラスチックで形成された長方形、円形または扇形のものが一般的に普及している。
【先行技術文献】
【特許文献】
【０００３】
【特許文献１】特開２０１５−０９２８６３号公報
【考案の概要】
【考案が解決しようとする課題】
【０００４】
従来のプランターは、上記のとおり長方形、正方形、円形または扇形のものが多く、このような形状のプランターを並べ、組み合わせて使用している。このような現状に対して、例えば、曲線型出窓のカウンター、玄関先のポーチなどに曲線美などの美感を追求して設置することができる多種多様なプランターが求められていた。
【０００５】
本考案は、こうした点に鑑みてなされたものであり、曲線型出窓のカウンター玄関先のポーチなどに、曲線美などの美感を追求して設置することができる変形可能な連結組立式プランターを提供することである。
【課題を解決するための手段】
【０００６】
上記課題を解決するために、本考案に係る変形可能な連結組立式プランターは、中央底面、後方底面、右側面、左側面及び正面を有する前方部材と、前方底面、中央底面、後方底面、右側面及び左側面を有する中央部材と、中央底面、前方底面、右側面、左側面及び裏面を有する後方部材と、固定キャップを有し、前記前方部材、前記中央部材、前記後方部材及び前記固定キャップを用いて、変形可能なように連結され組み立てられた変形可能な連結組立式プランターであって、前記前方部材の後方底面に設けられた開口と前記中央部材の前方底面に設けられた開口が重ね合わされ、前記重ね合わされた開口に前記固定キャップが嵌め込まれ、前記前方部材と前記中央部材が、回転自在になるように連結され、前記後方部材の前方底面に設けられた開口と前記中央部材の後方底面に設けられた開口が重ね合わされ、前記重ね合わされた開口に前記固定キャップが嵌め込まれ、前記後方部材と前記中央部材が、回転自在になるように連結され、前記変形可能な連結底面、連結右側面及び連決左側面が組み立てられて形成され、前記正面、前記裏面、前記連結底面、前記連結右側面及び前記連結左側面を有し変形可能であることを特徴とする。
【０００７】
本考案に係る変形可能な連結組立式プランターの態様について、前記前方部材の右側面の後方、前記中央部材の左側面の前方、前記中央部材の右側面の後方及び前記後方部材の左側面の前方のそれぞれは、柔軟性を有する素材で形成された自在側板が一体的に設けられており、前記前方部材の左側面の後方、前記中央部材の右側面の前方、前記中央部材の左側面の後方及び前記後方部材の右側面の前方のそれぞれは、自在側板受穴が設けられており、前記自在側板は、前記回転自在に合わせるように前記自在側板受穴に嵌め込まれ嵌合するように形成されていることが好ましい。
【０００８】
本考案に係る変形可能な連結組立式プランターの態様について、前記前方部材の後方底面の開口と前記中央部材の前方底面の開口の重ね合わせにおいて、前記前方部材の後方底面が、前記中央部材の前方底面より下になるように形成され、前記後方部材の前方底面の開口と前記中央部材の後方底面の開口の重ね合わせにおいて、前記後方部材の前方底面が、前記中央部材の後方底面より上になるように形成されていることが好ましい。
【０００９】
本考案に係る変形可能な連結組立式プランターの態様について、前記中央部材は、複数であり、前記複数の中央部材のそれぞれは、前記中央部材の後方底面に設けられた開口と前記中央部材の前方底面に設けられた開口が重ね合わされ、前記重ね合わされた開口に前記固定キャップが嵌め込まれ、前記複数の中央部材が、回転自在になるように連結されることが好ましい。
【００１０】
本考案に係る変形可能な連結組立式プランターの態様について、前記前方部材の後方底面、前記中央部材の前方底面、前記中央部材の後方底面、前記後方部材の前方底面のそれぞれは、略半円状に形成されていることが好ましく、また、前記固定キャップには、水抜き用の孔が設けられており、前記前方部材、前記中央部材及び前記後方部材には、手掛部、架台及び側面補強板が設けられていることが好ましい。
【考案の効果】
【００１１】
本考案によれば、ビル、洋風住宅などに設けられている曲線型出窓のカウンターなどの変形している場所に装飾し使用することができる変形可能な連結組立式プランターを提供することができる。
【図面の簡単な説明】
【００１２】
【図１】実施形態の変形可能な連結組立式プランターの一例を示す模式図である。
【図２】実用新案の変形可能な連結組立式プランターの一例を示す参考図である。
【考案を実施するための形態】
【００１３】
以下、本考案の変形可能な連結組立式プランター１００用について図１から図３を用いて説明する。図１（ａ）は、変形可能な連結組立式プランター１００の前方部材１０、中央部材２０、後方部材３０の連結状態を説明する模式図である。図２（ａ）は、変形可能な連結組立式プランター１００の組み立て後の状態を示す参考図であり、図２（ｂ）は、変形可能な連結組立式プランター１００の組み立て後の状態を示す他の参考図である。
【００１４】
本考案の変形可能な連結組立式プランター１００は、前方底面１１、後方底面１２、右側面１３、左側面１４及び正面１５を有する前方部材１０と、前方底面２１、中央底面２２、後方底面２３、右側面２４及び左側面２５を有する中央部材２０と、後方底面３１、前方底面３２、右側面３３、左側面３４及び裏面３５を有する後方部材３０と、固定キャップ４０を有している。
【００１５】
変形可能な連結組立式プランター１００を構成する上記の前方部材１０、中央部材２０、後方部材３０及び固定キャップ４０は、それぞれが独立している部材であり、これらを用いて変形可能、つまり自在に好みの形状に変形させながら連結して組み合わせることができる構成となっている。
【００１６】
変形可能な連結組立式プランター１００は、前方部材１０の後方底面１２に設けられた開口Ｋと中央部材２０の前方底面２１に設けられた開口Ｋが重ね合わされた状態で、これらの重ね合わされた開口Ｋに固定キャップ４０が嵌め込まれ、前方部材１０と中央部材２０が、回転自在になるように連結される。また、後方部材３０の前方底面３２に設けられた開口Ｋと中央部材２０の後方底面２３に設けられた開口Ｋが重ね合わされ、これらの重ね合わされた開口Ｋに固定キャップ４０が嵌め込まれ、後方部材３０と中央部材２０が、回転自在になるように連結される。
【００１７】
また、中央部材２０は複数でもよく、複数の中央部材２０は、順次連結されるように形成されており、前方の中央部材２０と順次連結される後方の中央部材２０において、前方の後方底面２３の開口Ｋと後方の前方底面２１の開口が重ね合わされ、これらの重ね合わされた開口Ｋに固定キャップ４０が嵌め込まれ、前方の中央部材２０と後方の中央部材２０が、回転自在になるように連結される。このように複数の中央部材２０は、順次重ね合わされ、回転自在になるように連結される。
【００１８】
上記のように連結され組み立てられた変形可能な連結組立式プランター１００は、連結底面１００ａ、連結右側面１００ｂ及び連結左側面１００ｃが組み立てられて形成されることにより、正面１５、裏面３５、連結底面１００ａ、連結右側面１００ｂ及び連結左側面１００ｃを有する変形可能なものとして形成される。
【００１９】
また、変形可能な連結組立式プランター１００は、前方部材１０、中央部材２０、後方部材３０を、変形可能なように連結させるために、自在側板と自在側板受穴が、設けられている。
【００２０】
すなわち、前方部材１０の右側面１３の後方、中央部材２０の左側面２５の前方、中央部材２０の右側面２４の後方及び後方部材３０の左側面３４の前方のそれぞれは、柔軟性を有する素材で形成された自在側板１３ａ，２４ａ，２５ａ，３４ａが、一体的に設けられ、また、前方部材１０の左側面１４の後方、中央部材２０の右側面２４の前方、中央部材２０の左側面２５の後方及び後方部材３０の右側面３３の前方のそれぞれは、自在側板受穴１４ｂ，２４ｂ，２５ｂ，３３ｂが設けられており、これらの自在側板は、それぞれの底面の回転に合わせるように、対応する自在側板受穴に嵌め込まれ嵌合するように形成されている。なお、この例における自在側板と自在側板受孔は、一例でありこれに限定されず、上記のそれぞれの底面の回転に合わせることができるように側板として形成されていればよく適宜最適なものにすればよい。
【００２１】
この例において、前方部材１０の後方底面１２の開口Ｋと、中央部材２０の前方底面２１の開口Ｋの重ね合わせにおいて、前方部材１０の後方底面１２が、中央部材２０の前方底面２１より下になるように形成されていることがのぞましく、また、後方部材３０の前方底面３２の開口Ｋと中央部材２０の後方底面２３の開口Ｋの重ね合わせにおいて、後方部材３０の前方底面３２が、中央部材２０の後方底面２３より上になるように形成されていることが望ましい。このように形成することで、変形可能な連結組立式プランター１００は、連結底面１００ａを略平面な状態にすることができる。
【００２２】
また、この例において、前方部材１０の後方底面１２、中央部材２０の前方底面２１、中央部材２０の後方底面２３、後方部材３０の前方底面３２のそれぞれは、略円形状または略半円状に形成されていることが望ましく、このように形成することで、上記の回転が円滑にすることができる。また、固定キャップ４０には、水抜き用の孔４１が設けられていることが望ましく、さらに、前方部材１０、中央部材２０及び後方部材３０には、手掛部、架台及び側面補強板が設けられていることが望ましい。
【００２３】
本考案の変形可能な連結組立式プランター１００は、ビル、洋風住宅などに設けられている曲線型出窓のカウンターなどの変形している場所に装飾し使用することができ、最良の美感が期待できるという効果を有しており、連結組合せにより円状とすることができ、例えば、円を５個並べることでオリンピックのマークとして装飾することができ、また、ＪリーグのＪマークを容易に表現できるなど、文字、マーク、シンボルなどを表現することができる優れた効果を有するものである。
【００２４】
以上、本考案の有する特徴及び優れた点を上記実施形態に記載したが、本考案は、本願の実用新案請求の範囲で使用されている言葉を広く一般的な意味に拡張して実施することができる。
【００２５】
また、本考案の上記の変形可能な連結組立式プランターは、大きさ、形状、素材の種類、厚さ、重さなどについては多様な実施形態が可能であり、それらについて本実施形態と異なる形態による実施は、本考案の技術的範囲に含まれる。
【符号の説明】
【００２６】
１００  変形可能な連結組立式プランター
１０    前方部材
１１    前方底面
１２    後方底面
１３    右側面
１３ａ  自在側板
１４    左側面
１４ｂ  自在側板受穴
１５    正面
２０    中央部材
２１    前方底面
２２    中央底面
２３    後方底面
２４    右側面
２４ａ  自在側板
２４ｂ  自在側板受穴
２５    左側面
２５ａ  自在側板
２５ｂ  自在側板受穴
３０    後方部材
３１    後方底面
３２    前方底面
３３    右側面
３３ｂ  自在側板受穴
３４    左側面
３４ａ  自在側板
３５    裏面
４０    固定キャップ
４１    水抜き用の孔
Ｋ      開口
【図１】
0003218591.tif 000003
【図２】
0003218591.tif 000004